(57)【要約】【課題】パンク修理液の保管性能及び容器の復元性を維持しながら、圧搾作業性を向上することを可能にしたパンク修理キットを提供する。【解決手段】  収容容器２とキャップ３とホース４とからなるパンク修理キット１において、キャップ３の吐出部８に接続される側のホース４の端部に他の部位よりも内径が拡張された液溜まり部１１を形成する一方で、吐出部８を液溜まり部１１の内径に対応した径に構成し、液溜まり部１１を吐出部８に直接接続する。【選択図】図１
2015155186.tif 000002
【特許請求の範囲】
【請求項１】
パンク修理液を収容する収容部と開口部とを有する収容容器と、前記パンク修理液を吐出する吐出部を有しパンク修理作業時に前記開口部に装着されるキャップと、前記吐出部に装着されるホースとからなるパンク修理キットにおいて、
前記ホースが前記吐出部に接続される側の端部に他の部位よりも内径が拡張された液溜まり部を有する一方で、前記吐出部が前記液溜まり部の内径に対応した径を有し、前記液溜まり部が前記吐出部に直接接続することを特徴とするパンク修理キット。
【請求項２】
前記液溜まり部の内径が前記ホースのタイヤバルブに接続される先端部の内径よりも大きく、前記液溜まり部から前記先端部に向かって前記ホースの内径が小さくなることを特徴とする請求項１に記載のパンク修理キット。
【請求項３】
前記液溜まり部の外殻が蛇腹状であることを特徴とする請求項１又は２に記載のパンク修理キット。
【請求項４】
前記収容容器の底部を容器外側に向けて突出する凸形状にしたことを特徴とする請求項１，２又は３に記載のパンク修理キット。
【発明の詳細な説明】
【技術分野】
【０００１】
本発明は、パンク修理キットに関し、更に詳しくは、パンク修理液の保管性能及び容器の復元性を維持しながら、圧搾作業性を向上することを可能にしたパンク修理キットに関する。
【背景技術】
【０００２】
近年、車両に装着されたタイヤがパンクした際に、タイヤバルブを介してタイヤ内にパンク修理液を注入することにより、パンクを応急的に修理し、そのタイヤ内に空気を充填することが行われている。
【０００３】
パンク修理液の注入装置としては、例えば、可撓性を有する容器内にパンク修理液が収容され、この容器を手で圧搾することでパンク修理液をタイヤ内に注入する手絞りタイプのパンク修理キットがある（例えば、特許文献１参照）。
【０００４】
このような手絞りタイプのパンク修理キットに用いられるパンク修理液の収容容器は、使用者が容易にパンク修理作業を行えるように、容器が圧搾時に変形し易いこと（圧搾作業性に優れること）が求められる。その一方で、パンク修理液を全て吐出するには、繰り返し圧搾することが必要となるため、容器が復元性に優れることも求められる。更に、パンク修理液の保管中の劣化を防止するために、パンク修理液収容容器の外壁には適度な厚みが求められる。そのため、容器の復元性やパンク修理液の劣化防止性能（保管性能）を維持しながら圧搾作業性を高めることが難しいという問題があった。
【先行技術文献】
【特許文献】
【０００５】
【特許文献１】特開２００９−２４８９８２号公報
【発明の概要】
【発明が解決しようとする課題】
【０００６】
本発明の目的は、パンク修理液の保管性能及び容器の復元性を維持しながら、圧搾作業性を向上することを可能にしたパンク修理キットを提供することにある。
【課題を解決するための手段】
【０００７】
上記目的を達成するための本発明のパンク修理キットは、パンク修理液を収容する収容部と開口部とを有する収容容器と、前記パンク修理液を吐出する吐出部を有しパンク修理作業時に前記開口部に装着されるキャップと、前記吐出部に装着されるホースとからなるパンク修理キットにおいて、前記ホースが前記吐出部に接続される側の端部に他の部位よりも内径が拡張された液溜まり部を有する一方で、前記吐出部が前記液溜まり部の内径に対応した径を有し、前記液溜まり部が前記吐出部に直接接続することを特徴とする。
【発明の効果】
【０００８】
本発明では、上述のように、吐出部に直接連結する液溜まり部を設けているので、パンク修理液の注入時に収容容器が倒立すると、収容容器内のパンク修理液が液溜まり部に移動する一方で、空気が容器の底部側に移動して、収容容器の底部側にパンク修理液が存在しない空間部が形成される。つまり、パンク修理液は、従来のパンク修理キットを用いた場合よりも、容器内の開口部側及びホース内に押しやられることになる。その結果、より効率よくパンク修理液をタイヤに注入することが可能になる。また、パンク作業の初期から収容容器の中腹部にパンク修理液の液面が存在することになり、収容容器の外壁中で相対的に変形し易い収容容器の中腹部を圧搾することで液面近傍を圧搾することが可能になり、効率よくパンク修理液を送り出すことが可能になる。このようにホースに形成された液溜まり部によって圧搾作業が容易になり、パンク修理液を注入し易くなるので、収容容器自体を改造する（例えば、収容容器の外壁を薄くして容器自体を柔軟にする）ことで圧搾作業性を高める必要が無くなる。そのため、収容容器の外壁の厚さを充分に確保して、パンク修理液の劣化を防止し、且つ、容器の復元性を維持することができる。
【０００９】
本発明では、液溜まり部の内径がホースのタイヤバルブに接続される先端部の内径よりも大きく、液溜まり部から先端部に向かってホースの内径が小さくなることが好ましい。このような形状にすることで、パンク修理液がホース内を流れ易くなり、パンク修理液が注入し易くなるので、結果的に圧搾作業性を向上するには有利になる。
【００１０】
本発明では、液溜まり部の外殻が蛇腹状であることが好ましい。このような形状にすることで、液溜まり部が折れ曲がる方向にも変形し易くなるため、パンク修理作業時にホースが吐出部から抜け落ちることを防止することができる。また、液溜まり部を折り曲げることが可能になるので作業性を高めることができる。また、保管時には蛇腹を縮めることでホース（特に液溜まり部）をコンパクト化して収納性を高めることができる。
【００１１】
本発明では、収容容器の底部を容器外側に向けて突出する凸形状にした仕様にすることもできる。このような仕様にすることで、圧搾時に収容容器が変形し易くなるので、圧搾作業性を向上するには有利になる。
【図面の簡単な説明】
【００１２】
【図１】本発明のパンク修理キットの一部を切り欠いて示す正面図である。
【図２】図１のパンク修理収容容器の使用時の状態を模式的に示す説明図である。
【図３】本発明のパンク修理キットに含まれるキャップの変形例を示す断面図である    。
【図４】本発明の別の実施形態からなるパンク修理キットの正面図である。
【図５】本発明の更に別の実施形態からなるパンク修理キットの正面図である。
【図６】本発明のパンク修理キットに含まれるキャップの別の変形例を示す断面図で    ある。
【図７】本発明の更に別の実施形態からなるパンク修理キットの正面図である。
【発明を実施するための形態】
【００１３】
以下、本発明の構成について添付の図面を参照しながら詳細に説明する。
【００１４】
図１に例示すように、本発明のパンク修理キット１は収容容器２とキャップ３とホース４とから構成される。
【００１５】
収容容器２は、例えばゴムラテックスを含むパンク修理液Ｌ（以下、「修理液Ｌ」という。）を収容する円筒状の容器胴部５と、収容容器２を正立したとき容器胴部５の上部側に位置し、使用時に修理液Ｌが吐出される円筒状の開口部６とを有する。収容容器２を正立したとき、容器胴部５の底部７は、開口部６の反対側に位置する。開口部６は、不図示のフィルムにより密封される。この実施形態では、開口部６の外面にはねじ切りが施され、後述のキャップ３側のねじと螺合するようになっている。容器胴部５及び開口部６は、例えばポリエチレン等の合成樹脂から一体的に構成される。
【００１６】
キャップ３は、吐出部８が設けられた円盤状の頭頂部９と、この頭頂部９の外周を筒状に囲む側壁１０とからなる。吐出部８は、キャップ３を開口部６に装着した際に開口部６が当接する面の反対側に突き出した筒状に形成される。側壁１０は、頭頂部９の吐出部８が突き出した側とは反対側のみに設けられる。側壁１０の内面には開口部６の外面に形成されたねじに螺合するねじが設けられている。キャップ３の吐出部８、頭頂部９、及び側壁１０は、例えばポリプロピレン等の合成樹脂から一体的に構成される。
【００１７】
ホース４は、一方の端部（先端部４Ａ）がタイヤのバルブに連結され、他方の端部４Ｂが吐出部８に連結され、収容容器２からパンク修理液Ｌをタイヤ内に送り込む役割を担うが、本発明では、吐出部８に連結される側の端部４Ｂに液溜まり部１１が設けられている。液溜まり部１１は、ホース４の他の部位、特に先端部４Ａよりも内径が拡張されている。液溜まり部１１は、吐出部８に直接、拡張した内径のまま接続している。即ち、吐出部８の径（内径及び外径）は、液溜まり部１１の内径に対応した径に構成されている。
【００１８】
以下に、これら収容容器２、キャップ３、ホース４からなるパンク修理キット１を用いたパンク修理作業について説明する。
【００１９】
図２に例示するように、パンク修理作業時には、収容容器２にキャップ３が取り付けられる。尚、予め収容容器２の開口部６に保管用キャップ（不図示）が取り付けられている場合は、この保管用キャップをキャップ３に交換する。このとき、開口部６を塞ぐフィルム（不図示）は剥がされるか破かれる。その一方で、キャップ３の吐出部８にホース４の端部４Ｂ（液溜まり部１１）を装着し、タイヤＴのバルブＢにホース４の先端部４Ｂを装着して、タイヤＴのバルブＢと収容容器２とを連結する。そして、ホース４を介してタイヤＴに連結された収容容器２を、開口部６を下側にした倒立状態にし、作業者が手で容器胴部５の外壁を図の矢印方向に圧搾することで、パンク修理液Ｌが吐出部８から押し出され、タイヤＴに注入される。そして、作業者が圧搾する力を弱めると、タイヤＴ内の空気が収容容器２内に戻り、収容容器２の外壁が元の形状に戻る。この繰り返しにより、収容容器２の内部の全てのパンク修理液Ｌをタイヤ内に流入する。
【００２０】
本発明では、ホース４に液溜まり部１１が設けられ、この液溜まり部１１が吐出部８に直接接続しているので、パンク修理液Ｌを注入する際に収容容器２が倒立すると、収容容器２内のパンク修理液Ｌはホース４の液溜まり部１１に移動する一方で、空気が収容容器２の底部７側に移動し、パンク修理液Ｌが存在しない空間部１２が形成される。つまり、パンク修理液Ｌは、従来のパンク修理キットを用いた場合よりも、収容容器２内の開口部６側及びホース４内に押しやられることになる。その結果、より効率よくパンク修理液ＬをタイヤＴに注入することが可能になる。また、パンク作業の初期から収容容器２の中腹部にパンク修理液Ｌの液面が存在することになり、収容容器２の外壁中で相対的に変形し易い収容容器２の中腹部を圧搾することで液面近傍を圧搾することが可能になるので、効率よくパンク修理液Ｌを送り出すことが可能になる。このようにホース４に形成された液溜まり部１１によって圧搾作業が容易になり、パンク修理液Ｌを注入し易くなるので、収容容器２自体を改造する（例えば、収容容器２の外壁を薄くして収容容器２自体を柔軟にする）ことで圧搾作業性を高める必要が無くなる。そのため、外壁の厚さを充分に確保して、パンク修理液Ｌの劣化を防止し、且つ、収容容器２の復元性を維持することができる。
【００２１】
このとき、液溜まり部１１は、吐出部８から離間してはならない。言い換えれば、液溜まり部１１と吐出部８との間に内径の小さいホース４の部分（例えば、液溜まり部１１以外の部分と同程度の内径の部分）が介在してはならない。液溜まり部１１と吐出部８との間に内径の小さいホース４の部分が介在すると、収容容器２を倒立させても液溜まり部１１にパンク修理液Ｌが速やかに移動しなくなるので、圧搾作業性を高めることができない。
【００２２】
吐出部８は液溜まり部１１が確実に装着されるように液溜まり部１１の内径と同じ或いは僅かに大きい程度の外径を有することが好ましい。また、収容容器２が倒立した際のパンク修理液Ｌの流れを阻害しないように、液溜まり部１１の内径と同程度の内径（液溜まり部１１の内径からキャップ３の肉厚分を除いた程度の内径）を有していることが好ましい。
【００２３】
液溜まり部１１の断面積（内径）は、ホース４の先端部４Ａの断面積の５倍〜３０倍であることが好ましい。例えば、液溜まり部１１の断面積を１５５ｍｍ2 〜７１０ｍｍ2 の範囲に設定するとよい（尚、液溜まり部１１の断面形状が円形の場合、断面積が１５５ｍｍ2 のときの内径（直径）は約１４ｍｍ、断面積が７１０ｍｍ2 のときの内径（直径）は約３０ｍｍである）。このような範囲に設定することで、収容容器２を倒立させた際に液溜まり部１１にパンク修理液Ｌが速やかに移動するので、効果的に圧縮作業性を高めることができる。
【００２４】
液溜まり部１１の容積は収容容器２に収容されたパンク修理液Ｌの体積の１５％以上であることが好ましい。例えば、収容容器２にパンク修理液Ｌが３５０ｍＬ収容されている場合は、液溜まり部１１の容積を５０ｍＬ以上、収容容器２にパンク修理液Ｌが４５０ｍＬ収容されている場合は、液溜まり部１１の容積を６５ｍＬ以上にするとよい。これにより、収容容器２が倒立した際に充分な空間部１２が形成されるので、より効率よくパンク修理液ＬをタイヤＴに注入することが可能になり、圧搾作業性を高めるには有利になる。このとき、液溜まり部１１の容積が収容容器２に収容されたパンク修理液Ｌの体積の１５％未満であると、充分な空間部１２が得られず、圧搾作業性を高める効果が充分に得られなくなる。
【００２５】
キャップ３には、図３（ａ）及び図３（ｂ）に例示するように、開口部６を塞ぐフィルムを破るための穿孔部１３を設けてもよい。この穿孔部１３は、キャップ３の頭頂部９の吐出部８が形成された側の面の裏面から突き出した筒状に構成され、キャップ３を取り付けることでフィルムが破けるようになっている。特に、図３（ａ）及び（ｂ）の例では、穿孔部１３は先端が斜めに切り取られた円筒状に構成されているが、このように鋭角になった部分が形成されると、フィルムを破り易くなる。また、このような穿孔部１３を設ける場合、図３（ａ）に示すような環状の穿孔部１３であると、この穿孔部１３によってパンク修理液Ｌの流れが阻害される虞があるため、例えば図３（ｂ）に示すように１箇所以上の切り欠き部１４を設けて、この切り欠き部１４の間からもパンク修理液Ｌが流れるようにしてもよい。
【００２６】
上述のように、液溜まり部１１の内径はホース４の先端部４Ａの内径よりも大きく構成されているが、更に、液溜まり部１１から先端部４Ｂに向かってホース４の内径が小さくなるように構成することが好ましい。このような先細り形状にすることで、パンク修理液Ｌがホース４内を流れ易くなり、タイヤＴ内にパンク修理液Ｌを注入し易くなるので、結果的に圧搾作業性を向上するには有利になる。
【００２７】
尚、図１，２の実施形態においては、内径が一定の液溜まり部１１と先端部４Ａ（及び先端部４Ａと同じ内径のホース４の部分）との間にテーパー部１５を設けることで上述の先細り形状となっているが、例えば、図４に例示するように、液溜まり部１１自体の内径が徐々に減少して先端部４Ａ（及び先端部４Ａと同じ内径のホース４の部分）と連結する先細り形状にすることもできる。
【００２８】
ホース４の先端部４Ａの内径は、先端部４ＡがタイヤＴのバルブＢに接続されることから、一般的なバルブＢのサイズに合わせて、例えば７ｍｍ程度となる。これに対して、液溜まり部１１の内径は、例えば１４ｍｍ〜３０ｍｍ程度に設定するとよい。
【００２９】
液溜まり部１１は、ホース４の他の部位よりも大径であるため剛性が低くなる傾向にある。そのため、パンク修理作業時に、液溜まり部１１を吐出部８に装着した後、ホース４が動くと、液溜まり部１１が吐出部８から抜け落ちる虞がある。そこで、このような抜け落ちを防止するために、図５に例示するように、液溜まり部１１の外殻を蛇腹状に構成することが好ましい。このような蛇腹状であれば、液溜まり部１１が折れ曲がる方向にも変形し易くなるため、パンク修理作業時にホース４が動いて、液溜まり部１１と吐出部８との連結部に力が掛かっても、液溜まり部１１が吐出部８から抜け落ちることを防止することが可能になる。また、液溜まり部１１が容易に折り曲げ可能になるので、作業性を高めることができる。更に、パンク修理キット１の保管時には蛇腹を縮めることでホース４（特に液溜まり部１１）をコンパクト化することができるので、収納性を高めることもできる。
【００３０】
上述の例では、ホース４のみに液溜まり部１１を形成していたが、図６に示すように、更に、キャップ４に補助液溜まり部１６を設けるようにしても良い。この例では、吐出部８が設けられる頭頂部９と別に、頭頂部９と平行な仕切り部１７がキャップ４内に設けられており（尚、図示の例では、この仕切り部１７に穿孔部１３が形成されている）、これら頭頂部９と仕切り部１７との間に補助液溜まり部１６が形成されている。このように補助液溜まり部１６を形成した場合、収容容器２を倒立した際には、液溜まり部１１だけでなく、補助液溜まり部１６にもパンク修理液Ｌが流れ込むので、収容容器２内により大きな空間部１２が形成され、効率的にパンク修理液ＬをタイヤＴに注入するには有利になる。
【００３１】
上述のように、本発明は、ホース４（及びキャップ３）に対策を施すだけで、圧搾作業性を高めることができるので、復元性や保管性能に優れた従来の収容容器２をそのまま使用することができる。従って、収容容器２としては図示の例に限らず様々な態様を使用可能である。
【００３２】
更に、圧搾作業性を向上する効果を高めるために、収容容器２自体に対して別途、圧搾作業性を高めるための方策を施してもよい。例えば、図１，２の実施形態では、収容容器２の底部７は平面に構成されていたが、図７に例示するように、収容容器２の底部７を収容容器２の外側に向けて突出する凸形状にすることが好ましい。図７の例では、容器胴部２の底部７の輪郭線の全体が半円状に突出して凸形状を成しているが、輪郭線は放物線状、半楕円形状にしてもよい。このような形状にすることで、圧搾時に収容容器２が変形し易くなるので、圧搾作業性を向上するには有利になる。
【符号の説明】
【００３３】
１  パンク修理キット
２  収容容器
３  キャップ
４  ホース
５  容器胴部
６  開口部
７  底部
８  吐出部
９  頭頂部
１０  側壁
１１  液溜まり部
１２  空間部
１３  穿孔部
１４  切り欠き部
１５  テーパー部
１６  補助液溜まり部
１７  仕切り部
Ｌ  パンク修理液
【図１】
2015155186.tif 000003
【図２】
2015155186.tif 000004
【図３】
2015155186.tif 000005
【図４】
2015155186.tif 000006
【図５】
2015155186.tif 000007
【図６】
2015155186.tif 000008
【図７】
2015155186.tif 000009